(57)【要約】      （修正有）【課題】構造が簡易であり、水を快速に加熱可能であり、電気エネルギーを節約可能であり、且つ個人用の電気湯沸かし器に適用可能とする。【解決手段】熱を発生する加熱体と、加熱体を収容し、且つ前記加熱体と連接し、その周面には対流穴が複数に開設してあり、水がこれらの対流穴を経由して進出する仲介管と、前記仲介管と前記加熱体とを収容し、その周面には水入り口と水出口とが設けてある外管と、を含む。【選択図】図１
0003137187.tif 000002
【実用新案登録請求の範囲】
【請求項１】
熱を発生する加熱体と、
加熱体を収容し、且つ前記加熱体と連接し、その周面には対流穴が複数に開設してあり、水がこれらの対流穴を経由して進出する仲介管と、
前記仲介管と前記加熱体とを収容し、その周面には水入り口と水出口とが設けてある外管と、を含むことを特徴とする、
湯沸かし器モジュール。
【請求項２】
水入り口と水出口を連接することにより、二つ以上の外管を直列接続することが可能であることを特徴とする、請求項１に記載の湯沸かし器モジュール。
【請求項３】
更に、中空の連接スリーブが設けてあり、前記連接スリーブの両端にそれぞれ湯沸かし器モジュールを連接すると、前記二つの湯沸かし器モジュールが並列接続状態になることを特徴とする、請求項１に記載の湯沸かし器モジュール。
【考案の詳細な説明】
【技術分野】
【０００１】
本考案は、湯沸かし器モジュールに係り、特に、構造が簡易であり、水を快速に加熱可能であり、電気エネルギーを節約可能である湯沸かし器モジュールに関するものである。
【背景技術】
【０００２】
寒い冬期では、一般の家庭ではお湯を使用して食器を洗浄したり、シャワーを浴びているが、冷水をお湯に便利に加熱するのが湯沸かし器である。
近年、湯沸かし器は、ガス湯沸かし器が一酸化炭素中毒の危険性があることから、電気湯沸かし器やソーラーエネルギーの湯沸かし器を使用する消費者がどんどん増加している。
しかしながら、ソーラーエネルギーの湯沸かし器は天候に左右されて太陽光が不足すると水の加熱能力が低下するので、一般電気式の湯沸かし器が消費者に愛用されるようになりつつある。
【０００３】
現在、市販の電気湯沸かし器は、基本の加熱機能を持つと共に、温度検知装置と省エネ装置等も装備していて、これによりお湯を一定温度に維持可能で、且つ電気エネルギーを節約可能になっている。
【０００４】
例えば、市販されている「瞬間に加熱可能な電気湯沸かし器用の加熱感応起動装置」は、お湯を一定の温度に維持可能であるものであり、主に、
一つの水入り口と、一つの水出口とが設けてある加熱胴体と、
前記加熱胴体の内部に組み付けられるヒータと、
前記ヒータの近傍に設置され、温度設定値との差を検知する温度センサと、
補助温度センサと、
リリーフ弁と、を含む。
【０００５】
このような構成により、入水スイッチを起動して、冷水が水入り口を経由して加熱胴体に流入するときに、温度センサにて冷水の温度と温度設定値との差が検知されてヒータが加熱を開始し、且つお湯が温度設定値になるまでにヒータは加熱を持続する。また、お湯を使用しない場合には、温度センサにて加熱胴体内の水温の異常上昇が検知されてヒータの加熱が停止される。
【０００６】
また、市販の電気湯沸かし器には省エネ装置が組み付けてあるものがある。省エネ装置としては、例えば、「電気湯沸かし器専用の省エネ装置」があって、主に、電気湯沸かし器に省エネ装置が取付けられている。前記省エネ装置の表示パネルには、電源の起動時間と、電源の通電時間とを設定可能な制御ユニットが設けてある。前記制御ユニットは、省エネ装置の内部に取付けられるタイマー回路と電気的に接続している。
【０００７】
このような構成により、ユーザは、事前に電源の起動時間と、電源の通電時間とを設定可能である。そのため、電気湯沸かし器は、指定された時間でオンになり、指定された時間でオフにすることができる。これにより、電気エネルギーを節約することができる。
【０００８】
しかしながら、電気湯沸かし器を快速に加熱したり、電気エネルギーを節約するための電子装置は高価であることに伴い、電気湯沸かし器の価格が高くなり、高価な電気湯沸かし器は消費者の購買慾を引き出し難い。
【考案の開示】
【考案が解決しようとする課題】
【０００９】
本考案の主な目的は、構造が簡易であり、製造が容易である湯沸かし器モジュールを提供することにある。
【００１０】
本考案の次の目的は、水を快速に加熱可能である湯沸かし器モジュールを提供することにある。
【００１１】
本考案の別の目的は、電気エネルギーを節約可能である湯沸かし器モジュールを提供することにある。
【００１２】
本考案の更に別の目的は、個人用の電気湯沸かし器に適用可能な湯沸かし器モジュールを提供することにある。
【課題を解決するための手段】
【００１３】
上記目的を達成するためになされた本願の第１考案は、熱を発生する加熱体と、加熱体を収容し、且つ前記加熱体と連接し、その周面には対流穴が複数に開設してあり、水がこれらの対流穴を経由して進出する仲介管と、前記仲介管と前記加熱体とを収容し、その周面には水入り口と水出口とが設けてある外管と、を含むことを特徴とする湯沸かし器モジュールであることを要旨としている。
【００１４】
本願の第２考案では、水入り口と水出口を連接することにより、二つ以上の外管を直列接続することが可能であることを特徴とする前記第１考案に記載の湯沸かし器モジュールであることを要旨としている。
【００１５】
本願の第３考案では、更に、中空の連接スリーブが設けてあり、前記連接スリーブの両端にそれぞれ湯沸かし器モジュールを連接すると、前記二つの湯沸かし器モジュールが並列接続状態になることを特徴とする前記第１考案に記載の湯沸かし器モジュールであることを要旨としている。
【考案の効果】
【００１６】
本考案の湯沸かし器モジュールによれば、次のような効果がある。
（１）本考案の湯沸かし器モジュールは、主に、加熱管と、前記加熱管を収容する仲介管と、前記仲介管を収容し別のモジュールと連接するための外管と、を含んだ簡易な構造であり、このような構成によれば、熱輻射と熱対流と水蒸気加熱とにより、冷水を快速に加熱してお湯にでき、且つお湯になると共に圧力が増加するので、お湯の流動速度が速くなるため、ユーザはお湯を快速に利用可能となる。
【００１７】
（２）本考案は複数のモジュールを直列接続することにより湯沸かし器を構成するので、冷水が各モジュールを通過するときに、温度が引き続き上昇する。そのため、後ろに置かれるモジュールに投入する電気エネルギーを節約可能となるから、湯沸かし器全体として省エネを図ることが可能になる。
【００１８】
（３）本考案は、複数のモジュールを直列接続することが可能であり、更に、複数のモジュールを並列接続にすることも可能である。したがって、湯沸かし器全体の加熱効率が更に良くなる。
【００１９】
（４）本考案は複数のモジュールを直列に接続することにより構成されるので、四季の水温を見てモジュールの数量を増減可能である。したがって、省エネを図ることが可能である。
【００２０】
（５）本考案は複数のモジュールを直列に接続することにより構成されるので、ユーザの個人的な好みによってモジュールの数量を増減可能である。したがって、個人用の湯沸かし器に適用可能である。
【考案を実施するための最良の形態】
【００２１】
以下、添付図面を参照して本考案の好適な実施の形態を詳細に説明する。
【００２２】
まず、図１を参照する。本考案に係る湯沸かし器モジュールＡは、複数のモジュールＡを組合して湯沸かし器を構成するものである。
前記モジュールＡは、主に、加熱体１と、前記加熱体１を収容する仲介管２と、前記仲介管２を収容する外管３と、を含む。
【００２３】
前記加熱体１は、石英管体１１が設けてあり、前記石英管体１１の内部に炭素繊維１２が設けてあり、前記炭素繊維１２の電極が電源と電気的に連接する。
【００２４】
前記仲介管２は、石英製の管体であり、前記加熱体１が前記仲介管２の内部に収容され固定され、且つその周面に対流穴２１が複数に開設してある。
【００２５】
前記外管３は、両端に内ねじ段３１が設けてあり、また、その周面に水入り口３２と水出口３３とが設けてある。
【００２６】
前記連接スリーブ４は、セラミックス材料で作製されたものであり、内側端には前記仲介管２と嵌合するための嵌め溝４１が設けてあり、周壁には前記外管３の内ねじ段３１と螺着するための外ねじ段４２が設けてある。
【００２７】
また、このような構造を持つ複数のモジュールＡを組合して一つの湯沸かし器を構成しようとする場合には、図２に示すように、一つのモジュールＡの外管３に設けられた水入り口３２を別のモジュールＡの外管３に設けられた水出口３３に連接し、そうすると、二つのモジュールＡが直列接続されるようになり、且つ加熱しようとするお湯の水量を見てモジュールＡの直列接続の数量を増加可能である。
【００２８】
次に、本考案の湯沸かし器モジュールの使用状態を詳細に説明する。
まず、加熱しようとする冷水を第一のモジュールＡの外管の水入り口３２に流入させて、電源をオンにして、加熱体１の内部にある炭素繊維１２に電流を流すと、光および熱エネが発生する。
その後、冷水は、仲介管２に開設された複数の対流穴２１を経由して仲介管２の内部に流入して、加熱体１からの輻射熱および熱エネを受けて、快速に気化して水蒸気になると共に、仲介管２に流入する冷水が仲介管２の内部で水蒸気と熱対流をする。
そのため、仲介管２に流入する冷水は、快速にお湯になることができる。
さらに水蒸気の圧力を受けて第一のモジュールＡの水出口３３から排出されて、第二のモジュールＡの外管の水入り口３２に流入される。
また、第二のモジュールＡに流入された温水は、第二のモジュールＡの加熱体１からの輻射熱および熱エネを受けて、快速に気化して水蒸気になると共に、仲介管２に流入する温水が仲介管２の内部で水蒸気と熱対流をする。
そうすると、仲介管２に流入する温水は更に加温される。
したがって、直列接続のモジュールＡの数量が多いほど、最後に排出される水の水温が高くなる。すなわち、直列接続される複数のモジュールＡのうちの後ろに置かれるモジュールＡに投入必要な電気エネルギーが低減するから、電気エネルギーを節約可能となる。したがって、湯沸かし器全体としては省エネ可能なものになる。
【００２９】
また、四季の水温を見てモジュールＡの数量を増減可能である。すなわち、夏時期ではモジュールＡの数量を減少すると、電気エネルギーを節約可能である。
【００３０】
また、ユーザの個人的な好みによってモジュールの数量を増減可能である。だから、本考案の湯沸かし器モジュールは個人用の湯沸かし器に適用可能である。
【００３１】
また、本考案の湯沸かし器の加熱効果を更に向上するために、モジュールＡを並列接続することができる。
図３と図４に示すように、中空の連接スリーブ４が設けてあり、前記連接スリーブ４は、両端に外ねじ段５１が設けてある。前記二つの外ねじ段５１が二つのモジュールＡの外管３に設けられた内ねじ段３１と螺着し、また、前記連接スリーブ４の中空部５２の内部には互いに対向している固定網体５３が設けてある。前記固定網体５３には貫通孔５４が開設してあり、前記二つのモジュールＡの仲介管２がそれぞれ前記貫通孔５４に挿入される。
そうすると、前記二つのモジュールＡは連通状態になり、このような構成により、水が前記二つのモジュールＡの加熱体１に加熱され、加熱効果は倍になる。
したがって、本考案のモジュールＡを直列接続すると同時に、並列接続をすると、湯沸かし器の加熱効果は更に向上する。
【図面の簡単な説明】
【００３２】
【図１】本考案の断面図である。
【図２】本考案の直列接続の状態を示す概略図である。
【図３】本考案の並列接続の状態を示す分解斜視図である。
【図４】本考案の並列接続の状態を示す概略図である。
【符号の説明】
【００３３】
Ａ        モジュール              １        加熱体
１１      石英管体                １２      炭素繊維
２        仲介管                  ２１      対流穴
３        外管                    ３１      内ねじ段
３２      水入り口                ３３      水出口
４        結合キャップ            ４１      嵌合溝
４２      外ねじ段                ５        連接スリーブ
５１      外ねじ段                ５２      中空部
５３      固定網体                ５４      貫通孔
【図１】
0003137187.tif 000003
【図２】
0003137187.tif 000004
【図３】
0003137187.tif 000005
【図４】
0003137187.tif 000006